(57)【特許請求の範囲】
【請求項１】
電界駆動可能な表示媒体を２枚の基板間に封入し、基板に設けた対電極から電界を付与することで表示媒体を移動させることによって画像等の情報表示を書換えできるドットマトリックス型表示方式の表示部パネルからなる情報表示用パネルを２枚用いた情報表示装置において、
第１の情報表示用パネルは、第１表示面を有し、
第２の情報表示用パネルは、第２表示面と第３表示面とを有する両面表示方式であり、
前記第１の情報表示用パネルに具えた位置座標検出装置により、前記第１表示面に表示された情報の中から選択した情報の位置を検出し、
前記選択した情報に応じた情報の内容を、情報表示装置または第２の情報表示用パネルに具えた情報格納部に、前記第２表示面あるいは前記第３表示面に表示できる１ページ容量ごとに、格納し、
情報表示装置の画面切り替え機構により、第２の情報表示用パネルをめくることを検出し、
第２の情報表示用パネルをめくることで、前記第２表示面と前記第３表示面とに交互に、格納した情報を読み進める方向に表示し、
情報表示装置に設けたページ戻り機構を動作させて、第２の情報表示用パネルをめくることで、前記第２表示面と前記第３表示面とに交互に、格納した情報を読み戻す方向に表示することを特徴とする情報表示装置。
【請求項２】
前記位置座標検出装置が、前記第１表示面上に設けた透明なタッチパネル方式位置検出装置であることを特徴とする請求項１に記載の情報表示装置。
【請求項３】
前記位置座標検出装置が、前記第１表示面の裏側に設けた電磁授受方式位置検出装置であることを特徴とする請求項１に記載の情報表示装置。
【請求項４】
前記画面切り替え機構が、前記２枚の情報表示用パネル間に設けた接合部に、接合部に固定された第１の導電接点と、前記第２の情報表示用パネルの回転に従って回転する第２の導電接点とを同軸上に設け、２つの導電接点が接触することで第２の情報表示用パネルをめくることを検出することを特徴とする請求項１〜３に記載の情報表示装置。
【発明の詳細な説明】
【技術分野】
【０００１】
本発明は、電界駆動可能な表示媒体を少なくとも一方が透明な２枚の基板間に封入し、基板に設けた電極から電界を付与することで表示媒体を移動させることによって画像等の情報表示を書換えできるドットマトリックス型表示方式の表示部パネルからなる情報表示用パネルを２枚用いた情報表示装置に関するものである。
【背景技術】
【０００２】
ドットマトリックス型表示方式の情報表示装置としては、液晶方式の情報表示装置（例えば特許文献１参照）や、帯電粒子移動方式の情報表示装置（電気泳動方式や電子粉流体方式をはじめとする帯電粒子気体中移動方式）が知られている。そのうち、電子粉流体方式をはじめとする帯電粒子気体中移動方式の情報表示装置を利用した例として、本出願人は、電子書籍表示装置を開示している（例えば、特許文献２参照）。
【０００３】
【特許文献１】特開平９−２６５４７０号公報
【特許文献２】特開２００６−５８５７８号公報
【発明の開示】
【発明が解決しようとする課題】
【０００４】
上述した電子書籍表示装置では、全画面に書籍情報を表示させる構成であり、表示させたい内容を選択するための内容選択画面（目次画面）を具えていない。ここで上述した電子書籍表示装置に内容を選択するための内容選択画面をもたせる構成の一例としては、全画面に一度内容選択情報を表示させ、画面から情報を選択後、その画面を消去してから選択した情報内容を表示するものがあった。この際、内容選択画面をそのまま保持することができないという問題が生じる。このように、内容を選択した後に、内容選択画面を消去して選択した情報表示をすると、次に表示させたい情報を内容選択画面から選択する場合には、もう一度内容選択画面を表示させて表示させたい情報を選択した後画面を書換えることを繰り返す必要があり、見たい内容をすぐに表示させたいという点から問題があった。また、内容選択画面をそのまま保持していると、情報表示画面が１面しかなく、現在表示されている情報の次の情報を表示させる場合に、表示画面をスクロールするなどして、言い換えれば何回も画面を書き換えながら見たい情報全体を少しずつ表示させなければならなかった。この場合、画面書き換え動作中もユーザは画面を見続けることとなり、従来の紙媒体書籍でページをめくって読み進めるのとは異なり、次のページ画面に書き換える動作が感覚的に好まれない、あるいは書き換えに要する時間が長く感じられるという問題があった。
そこで、さらに内容選択画面を常に表示させておきながら、情報表示画面を２面以上設けるためには、情報表示用パネルが追加で必要となり、コストアップの問題だけでなく、書籍型のように綴じた画面を見開きするような構造にしようとすると重量と体積が大きくなり携帯性に劣るという問題が生じる。
【０００５】
本発明の目的は上述した問題点を解消し、コストアップなく、携帯性に優れ、内容選択画面および情報表示画面を具えた情報表示装置を提供することにある。
【課題を解決するための手段】
【０００６】
本発明の情報表示装置は、電界駆動可能な表示媒体を２枚の基板間に封入し、基板に設けた対電極から電界を付与することで表示媒体を移動させることによって画像等の情報表示を書換えできるドットマトリックス型表示方式の表示部パネルからなる情報表示用パネルを２枚用いた情報表示装置において、第１の情報表示用パネルは、第１表示面を有し、第２の情報表示用パネルは、第２表示面と第３表示面とを有する両面表示方式であり、前記第１の情報表示用パネルに具えた位置座標検出装置により、前記第１表示面に表示された情報の中から選択した情報の位置を検出し、前記選択した情報に応じた情報の内容を、情報表示装置または第２の情報表示用パネルに具えた情報格納部に、前記第２表示面あるいは前記第３表示面に表示できる１ページ容量ごとに、格納し、情報表示装置の画面切り替え機構により、第２の情報表示用パネルをめくることを検出し、第２の情報表示用パネルをめくることで、前記第２表示面と前記第３表示面とに交互に、格納した情報を読み進める方向に表示し、情報表示装置に設けたページ戻り機構を動作させて、第２の情報表示用パネルをめくることで、前記第２表示面と前記第３表示面とに交互に、格納した情報を読み戻す方向に表示することを特徴とするものである。
【０００７】
本発明の情報表示装置は、前記位置座標検出装置が、前記第１表示面上に設けた透明なタッチパネル方式位置検出装置であること、あるいは、前記第１表示面の裏側に設けた電磁授受方式位置検出装置であることが好適である。
【０００８】
本発明の情報表示装置は、前記画面切り替え機構が、前記２枚の情報表示用パネル間に設けた接合部に、接合部に固定された第１の導電接点と、前記第２の情報表示用パネルの回転に従って回転する第２の導電接点とを同軸上に設け、２つの導電接点が接触することで第２の情報表示用パネルをめくることを検出することが好適である。
【発明の効果】
【０００９】
本発明の情報表示装置によれば、電界駆動可能な表示媒体を２枚の基板間に封入し、基板に設けた対電極から電界を付与することで表示媒体を移動させることによって画像等の情報表示を書換えできるドットマトリックス型表示方式の表示部パネルからなる情報表示用パネルを２枚用いた情報表示装置において、第１の情報表示用パネルは、第１表示面を有し、第２の情報表示用パネルは、第２表示面と第３表示面とを有する両面表示方式であり、前記第１の情報表示用パネルに具えた位置座標検出装置により、前記第１表示面に表示された情報の中から選択した情報の位置を検出し、前記選択した情報に応じた情報の内容を、情報表示装置または第２の情報表示用パネルに具えた情報格納部に、前記第２表示面あるいは前記第３表示面に表示できる１ページ容量ごとに、格納し、情報表示装置の画面切り替え機構により、第２の情報表示用パネルをめくることを検出し、第２の情報表示用パネルをめくることで、前記第２表示面と前記第３表示面とに交互に、格納した情報を読み進める方向に表示し、情報表示装置に設けたページ戻り機構を動作させて、第２の情報表示用パネルをめくることで、前記第２表示面と前記第３表示面とに交互に、格納した情報を読み戻す方向に表示することにより、コストアップなく、携帯性に優れ、内容選択画面および情報表示画面を具えた情報表示装置を提供することができる。
【発明を実施するための最良の形態】
【００１０】
本発明に用いる表示部パネルとしての好ましい構成を以下に説明する。まず、電界駆動可能な表示媒体を用いた方式としては、帯電粒子を気体中空間で駆動する方式や、帯電粒子を絶縁液体中で駆動する（電気泳動）方式や、半分ずつ帯電極性および色が異なる部分で構成した帯電粒子を絶縁液体とともにマイクロカプセル中で駆動（回転）する方式がある。また、２枚の基板には、電極を対で設け、この対電極間に形成された電界によって表示媒体を駆動させて画像等の情報表示を書き換える。対電極は、ライン電極を互いに対向交差させて形成したり、個別電極を対向させて形成したりすることができる。いずれの場合もドットマトリックス型表示方式の表示画面を有する表示部パネルとすることができる。
なお、本発明に係る情報表示用パネルにおいては、一方の第１の情報表示用パネルは表示画面が１つのものであり、もう一方の第２の情報表示用パネルは２つの表示画面が表裏の両面にあるものである。
【００１１】
さらに、ライン電極で構成した対電極の場合にはパッシブ駆動方式を用い、個別電極で構成した対電極の場合にはアクティブ駆動方式を用いる。いずれの場合もドットマトリックス型表示部パネルとすることができる。さらにまた、基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系シートを用いることができる。表示画面を構成する基板にはこのうち透明なものを用いる。
【００１２】
次に、情報表示用パネルの表示画面となる表示部パネルの具体例として、帯電粒子（表示媒体）を気体中あるいは液体中空間で駆動する方式の一例を、図１（ａ）、（ｂ）〜図５（ａ）、（ｂ）により、それぞれを参照して説明する。
【００１３】
図１（ａ）、（ｂ）〜図４（ａ）、（ｂ）に示した例では、電界駆動可能な帯電粒子からなる表示媒体３３を２枚の基板３１、３２間の空間に封入し、基板３１、３２のそれぞれに設けた対電極３５、３６から電界を付与することで、表示媒体３３を移動させて画像等の情報表示を書き換えできるドットマトリックス型表示方式の情報表示用パネルの表示部パネル２を示している。また、表示媒体３３を封入する基板３１、３２間の空間は、隔壁３４により複数のセル（小部屋）３７で仕切られている。これにより、封入した表示媒体３３が偏ることを防止できる。なお、図５に示すように、表示媒体３３をマイクロカプセルに封止した場合には、このマイクロカプセルがセル（小部屋）の機能を有するので、さらにセル（小部屋）を設けなくても良い。また、裏面側（視認側と反対側）の基板３１および裏面側の電極３５は透明である必要はない。
【００１４】
図１（ａ）、（ｂ）に示す例では、それぞれのセル３７に、帯電粒子からなる白色表示媒体３３Ｗと帯電粒子からなる黒色表示媒体３３Ｂとの２色の組み合わせの表示媒体を封入して白黒ドット表示をしている。図１（ａ）と図１（ｂ）との相違点は、図１（ａ）に示す例では対電極３５、３６を、ライン電極を対向直交交差して構成しているのに対し、図１（ｂ）に示す例では対電極３５、３６を個別対電極として構成している点である。片面表示の表示部パネルとする場合は、視認側でないほうの基板と電極は透明でなくてもよい。
【００１５】
図２（ａ）、（ｂ）に示す例では、３つのセル３７を表示単位（１ドット）とし、それぞれのセル３７に、帯電粒子からなる白色表示媒体３３Ｗと帯電粒子からなる赤色表示媒体３３Ｒとの２色の組み合わせの表示媒体、帯電粒子からなる白色表示媒体３３Ｗと帯電粒子からなる緑色表示媒体３３Ｇとの２色の組み合わせの表示媒体、帯電粒子からなる白色表示媒体３３Ｗと帯電粒子からなる青色表示媒体３３ＢＬとの２色の組み合わせの表示媒体、を封入してカラー表示している。図２（ａ）、（ｂ）に示す例とも観察者に対し赤色ドット表示を行っている。図２（ａ）と図２（ｂ）との相違点は、図２（ａ）に示す例では対電極３５、３６を、ライン電極を対向直交交差して構成しているのに対し、図２（ｂ）に示す例では対電極３５、３６を個別対電極として構成している点である。表示媒体の２色の組み合わせは上述した例に限定されるものではなく、例えば、それぞれのセルに黒赤２色、黒緑２色、黒青２色の組み合わせで表示媒体を封入した構成によってもカラー表示することができる。
【００１６】
図３（ａ）、（ｂ）に示す例では、３つのセル３７を表示単位（１ドット）とし、それぞれのセル３７の両面に、三原色カラーフィルター４１Ｒ、４１Ｇ、４１ＢＬを配置し、帯電粒子からなる白色表示媒体３３Ｗと帯電粒子からなる黒色表示媒体３３Ｂの２色の表示媒体によってカラー表示している。この構成の表示部パネルでは基板３１、３２ともに透明とし、電極３５、３６ともに透明電極として、表示部パネルの両面を表示面とすることができる。図３（ａ）、（ｂ）とも観察者に対し青色ドット表示を行っている。図３（ａ）と図３（ｂ）との相違点は、図３（ａ）に示す例では対電極３５、３６を、ライン電極を対向直交交差して構成しているのに対し、図３（ｂ）に示す例では対電極３５、３６を個別対電極として構成している点である。他の構成として、４つのセル３７を表示単位（１ドット）とし、それぞれのセル３７に三原色カラーフィルターと無色のカラーフィルターとを配置し、白黒２色の表示媒体によってカラー表示することもできる。
【００１７】
また、図３に示した構成に限らず、表裏に表示画面を有する情報表示用パネルに、カラーフィルターを用いてカラー表示する場合には、表裏双方の表示画面にカラーフィルターを設けることが好ましいが、どちらかの面ではカラー表示でなく２色で表示させたい場合にはどちらか１面にカラーフィルターを設けるだけでよい。このように構成することで、表裏の両面表示可能な１枚の情報表示用パネルとして、一方の面で高精細な文字等の情報を表示するのに好適なモノクロ表示を行い、もう一方の面で図形等の情報を表示するのに好適なカラー表示を行うことができる。もちろん、用途に応じて、両面でモノクロ表示を行うこともできる。
【００１８】
図４（ａ）、（ｂ）に示す例では、３つのセル３７を表示単位（１ドット）とし、それぞれのセル３７に、帯電粒子からなる白色表示媒体３３Ｗと帯電粒子からなるマゼンタ色表示媒体３３Ｍとの２色の組み合わせの表示媒体、帯電粒子からなる白色表示媒体３３Ｗと帯電粒子からなるシアン色表示媒体３３Ｃとの２色の組み合わせの表示媒体、帯電粒子からなる白色表示媒体３３Ｗと帯電粒子からなるイエロー色表示媒体３３Ｙとの２色の組み合わせの表示媒体、を封入してカラー表示している。図４（ａ）、（ｂ）とも観察者に対しマゼンタ色ドット表示を行っている。図４（ａ）と図４（ｂ）との相違点は、図４（ａ）に示す例では対電極３５、３６、ライン電極を対向直交交差して構成しているのに対し、図４（ｂ）に示す例では対電極３５、３６を個別対電極として構成している点である。
【００１９】
図５（ａ）、（ｂ）に示す例では、上述の、隔壁３４で形成されたセルの代わりに、白黒２色の表示媒体を絶縁液体８とともに充填したマイクロカプセル９を配置している。図５（ａ）と図５（ｂ）との相違点は、図５（ａ）に示す例では個別対電極３５、３６とマイクロカプセルの位置を対応させて構成しているのに対し、図５（ｂ）に示す例では個別対電極３５、３６とマイクロカプセルの位置を対応させないで構成している点である。片面表示の表示部パネルとする場合は、視認側でないほうの基板と電極は透明でなくてもよい。
【００２０】
図６（ａ）〜（ｄ）はそれぞれ本発明の情報表示装置の構成例である。
図６（ａ）、（ｂ）に示すように、情報表示装置５の左側に、片面表示式表示部パネル２Ｋと透明なタッチパネル式位置座標検出装置１０Ｔとで構成される情報表示用パネルを設けている。情報表示装置５の右側に、両面表示式情報表示用パネル２Ｒを設けている。片面表示式表示部パネル２Ｋの表示面を第１表示面２ａとし、両面表示式情報表示用パネル２Ｒの２つの表示面をそれぞれ第２表示面２ｂおよび第３表示面２ｃとする。なお、図６では、両面表示可能な１個の表示部パネルから両面表示式情報表示用パネル２Ｒを構成しているが、片面表示式の２個の表示部パネルの背面を貼り合わせて両面表示式情報表示用パネル２Ｒを構成してもよい。
図６（ａ）では片面表示式情報表示用パネル２Ｋは情報表示装置本体左側にて情報表示装置本体に固定され、両面表示式情報表示用パネル２Ｒは、めくり用綴じ代部１６に固定され、左右にめくることができる。図６（ｂ）では片面表示式情報表示用パネル２Ｋ、両面表示式情報表示用パネル２Ｒともにめくり用綴じ代部１６に固定され、左右にめくることができる。めくり用綴じ代部１６にはヒンジ接点スイッチを内蔵し、両面表示式情報表示用パネル２Ｒをめくることを検出する。ヒンジ接点スイッチに関しては、以下で詳細に説明する。
また、ページ戻り機能選択スイッチ１５、電池４５、駆動装置４６、情報格納部４８（例えば、メモリ）を、情報表示装置本体１１に搭載している。なお、ページ戻り機能選択スイッチ１５、電池４５、駆動装置４６、情報格納部４８等の搭載位置は情報表示装置本体１１に限定されない。特に、情報格納部４８は第２の情報表示用パネル（両面表示式情報表示用パネル２Ｒ）に搭載することも好ましく適用される。
図６（ｃ）、（ｄ）に示すように、片面表示式表示部パネル２Ｋの背面側に電磁授受方式位置座標検出装置１０Ｄを設けることもできる。この電磁授受方式位置座標検出装置１０Ｄを用いた場合も、透明なタッチパネル式位置座標検出装置１０Ｔを用いた場合で説明した図６（ａ）、（ｂ）と同様に、図６（ｃ）、（ｄ）に示した構成で使用できる。
【００２１】
透明なタッチパネル式位置座標検出装置としては、抵抗膜方式タッチパネル、超音波方式タッチパネル、赤外線方式タッチパネル、アナログ容量結合方式タッチパネル等、情報表示用パネル表示面の光透過性の妨げにならない構成のパネル等が挙げられる。
【００２２】
次に、図７（ａ）〜（ｄ）を用いて、本発明の情報表示装置の構成を説明する。図７（ａ）は情報表示装置を開いた状態の平面図を示し、図７（ｂ）、（ｃ）はそれぞれ情報表示装置の両面表示式表示部パネル２Ｒをめくっている状態の斜視図と側面図を示し、図７（ｄ）は情報表示装置を閉じかけた状態の側面図を示す。情報表示装置を閉じられるようにする構成は必須ではないが、このような構成とすることで情報表示装置の携帯性が増す。
図７（ａ）は、情報表示装置の左側は片面表示式表示部パネルに透明なタッチパネル方式位置座標検出装置１０Ｔを設け、左側は両面表示式情報表示用パネル２Ｒとした図６（ａ）の構成を示す。片面表示式表示部パネル２Ｋには選択項目が表示され、選択項目の中から所望の項目を、ユーザがペンや指等の位置指示器（ポインター）を使用して選択し、タッチパネル方式位置座標検出装置１０Ｔにより検出されたその項目に応じた情報が両面表示式情報表示用パネル２Ｒに表示される。電磁授受方式位置座標検出装置を用いた場合のポインターとしては電磁ペンを用いる。図７（ｃ）に示すように、両面表示式情報表示用パネル２Ｒは第２表示面２ｂと第３表示面２ｃを有する。選択された情報は、そのデータ容量に応じて第２表示面２ｂと第３表示面２ｃとに情報が表示される。これは、選択された情報が情報表示装置あるいは情報表示用パネル２Ｒに具えた情報格納部に、前記第２表示面あるいは前記第３表示面に表示できる１ページ容量ごとに、格納されているためである。
図７（ｂ）〜（ｄ）には、片面表示式表示部パネル２Ｋと位置座標検出装置とで構成される情報表示用パネル（第１の情報表示用パネル）は情報表示装置本体１１に固定され、両面表示式情報表示用パネル２Ｒはめくって、第２表示面２ｂおよび第３表示面３ｃが視認できる図６（ａ）の構成を示したが、図６（ｂ）に示したように第１の情報表示用パネルもめくれる構成にすることもできる。また、透明なタッチパネル式位置座標検出装置１０Ｔの代わりに電磁授受方式位置座標検出装置１０Ｄを用いた図６（ｃ）、（ｄ）に示した構成にすることもできる。
【００２３】
図８（ａ）〜（ｄ）はそれぞれ本発明の情報表示装置の動作を説明するための図であり、左側に片面表示式表示部パネル２Ｋと位置座標検出装置で構成される情報表示用パネル、右側に両面表示式情報表示用パネル２Ｒとして情報表示装置としている。
図８（ａ）には、片面表示式表示部パネル２Ｋの第１表示面２ａを選択項目表示面（例えば見出し画面）とし、表示された見出しから読みたい情報の見出し表示部にペンポインター２０Ｐ等を押し当てて選択する。ここでは、表示された見出しから、項目２と表示された部分にペンポインター２０Ｐ等を押し当てて選択している。画面に表示されていない見出し情報は、画面に表示されるスクロールボタンにペンポインター２０Ｐ等を押し当てて、画面をスクロールして表示させる。
選択した見出しに対応した内容情報は、両面表示式情報表示用パネル２Ｒの表示画面（第２表示面２ｂあるいは第３表示面２ｃ）に対応した１ページ分ごとに区切られた複数ページ情報として、情報格納部に格納される。
図８（ｂ）では、情報格納部に取り込まれた内容情報から、１ページ目の内容情報を、両面表示式情報表示用パネル２Ｒの第２表示面２ｂに表示させている。
図８（ｃ）では、両面表示式情報表示用パネル２Ｒをめくって、第３表示面２ｃに２ページ目の内容情報を表示させている。両面表示式情報表示用パネル２Ｒをめくることで、後述するヒンジ接点スイッチが作動し、情報格納部に取り込まれた内容情報から、２ページ目の内容情報を、両面表示式情報表示用パネル２Ｒの第３表示面２ｃに表示させている。
図８（ｄ）では、両面表示式情報表示用パネル２Ｒをめくって、第２表示面２ｂに３ページ目の内容情報を表示させている。両面表示式情報表示用パネル２Ｒをめくることで、ヒンジ接点スイッチが作動し、情報格納部に取り込まれた内容情報から、３ページ目の内容情報を、両面表示式情報表示用パネル２Ｒの第２表示面２ｂに表示させている。
このように、画面をめくり、次に読みたい画面が現れるという構成にしたことで、同じ画面が書き換えられるのを待っているより、書き換えに要する時間が短く感じられるという利点がある。
【００２４】
図９（ａ）〜（ｄ）はそれぞれ本発明の情報表示装置の動作をさらに説明するための図であり、構成は図８と同じである。
図９（ａ）に示すように、情報表示装置５の第１表示面２ａに表示された目次情報の中から、読みたい情報の見出し表示部分にペンポインター２０Ｐを押し当てて選択する。画面に表示されていない見出し情報は、画面に表示されるスクロールボタンにペンポインター２０Ｐを押し当てて、画面をスクロールして表示させる。
選択した見出しに対応した内容情報は、両面表示式情報表示用パネル２Ｒの表示画面（第２表示面２ｂあるいは第３表示面２ｃ）に対応した１ページ分ごとに区切られた複数ページ情報として、情報格納部に格納される。
図９（ｂ）では、情報格納部に取り込まれた内容情報から、１ページ目の内容情報を、両面表示式情報表示用パネル２Ｒの第２表示面２ｂに表示させている。
図８（ｃ）では、両面表示式情報表示用パネル２Ｒをめくって、第３表示面２ｃを表示させている。両面表示式情報表示用パネル２Ｒをめくることで、後述するヒンジ接点スイッチが作動し、情報格納部に取り込まれた内容情報から、２ページ目の内容情報を、両面表示式情報表示用パネル２Ｒの第３表示面２ｃに表示させている。
次にページ戻り機能選択スイッチ１５を押してから、図９（ｄ）に示すように、両面表示式情報表示用パネル２Ｒをめくって、第２表示面２ｂを表示させている。両面表示式情報表示用パネル２Ｒをめくることで、ヒンジ接点スイッチが作動する。さらに、ページ戻り機能選択スイッチ１５が押されているため、情報格納部に取り込まれた内容情報から、３ページ目の内容情報ではなく、１ページ目の内容情報を、両面表示式情報表示用パネル２Ｒの第２表示面２ｂに表示させている。
このように、ページ戻り機能選択スイッチとヒンジ接点スイッチとを具えることにより、ページ送りとページ戻りが可能な情報表示装置とすることができる。図９において、ページ戻り機能選択スイッチは情報表示装置本体１１に設けたが、図１０に示すように、情報表示用パネルに設けてもよい。
【００２５】
図１０（ａ）〜（ｄ）はそれぞれ本発明の情報表示装置の動作をさらに説明するための図である。
図１０は、ページ戻り機能選択スイッチ１５を両面表示式情報表示用パネル２Ｒに設けている。また、図８、９では、第１表示面２ａに表示されていない見出し情報は、画面に表示されるスクロールボタンにペンポインター２０Ｐ等を押し当てて、画面をスクロールして表示させる例を説明したが、図１０では、表示部パネルの下部に送りスクロールボタン１６ａと戻りスクロールボタン１６ｂを設けている。
図１０（ａ）の状態で、送りスクロールボタン１６ａを押すと、選択項目表示面がスクロールして、図１０（ｂ）に示すように、政治欄の下に、芸能欄の見出しが表示される。ここで、芸能欄の見出し１を選択すると、第２表示面２ｂに選択した見出しに対応した内容情報が表示される。次に両面表示式情報表示用パネル２Ｒをめくると、図１０（ｃ）に示すように、第３表示面２ｃに２ページ目の情報が表示され、さらに、両面表示式情報表示用パネル２Ｒをめくると、図１０（ｄ）に示すように、第２表示面２ｂに３ページ目の内容情報が表示される。ここではページ戻り機能選択スイッチ１５を使用しない例を説明したが、ページ戻り機能選択スイッチ１５を使用すると、２ページ目を表示させた後に１ページ目を表示させることもできる。
【００２６】
次に、めくり用綴じ代部１６にヒンジ接点スイッチを内蔵し、情報表示用パネルをめくることでヒンジ接点スイッチを動作させる例について説明する。
図１１（ａ）〜（ｄ）はそれぞれ本発明に用いるヒンジ接点スイッチの機構を説明するための図であり、図１１（ａ）、（ｂ）は、情報表示装置の平面図であり、図１１（ｃ）、（ｄ）はそれぞれ、図１１（ａ）、（ｂ）に対応する情報表示装置の側面図を示す。
図１１に示す例では、表裏両面に表示画面を有する表示部パネル１枚で構成された両面表示可能な情報表示用パネル２と情報表示装置本体１１とを開閉自在に接続する可動固定部を構成するヒンジ部に、情報表示用パネル２の回転に従って回転する第１の導電接点６１と、ヒンジ部に固定された第２の導電接点６２とを同軸上に設けている。なお、説明の簡略化のため、情報表示装置の左側に配置され目次画面として利用する第１の情報表示用パネルは図示していない。
図１１（ａ）、（ｃ）に示すように、第１の導電接点６１と第２の導電接点６２とが接触しない状態で、ヒンジ接点スイッチはＯＦＦの状態を構成する。ここで情報表示用パネル２をめくる途中で、第１の導電接点６１と第２の導電接点６２とが接触し、ヒンジ接点スイッチはＯＮの状態を構成する。さらに、情報表示用パネル２を、図１１（ｂ）、（ｄ）に示す状態までめくると、第１の導電接点６１と第２の導電接点６２とが接触しない状態で、ヒンジ接点スイッチはＯＦＦの状態を構成する。以上より、情報表示用パネル２が情報表示装置５の右側にあり第２表示面２ｂに情報が表示されている状態から、情報表示用パネル２を右から左にめくることで、ヒンジ接点スイッチが作動し、第３表示面２ｃに表示すべき情報を第３表示面２ｃに表示する。
続いて、表示部パネル２を左から右にめくる際にもヒンジ接点スイッチが作動し、第２表示面２ｂに表示すべき次の情報を第２表示面２ｂに表示する。
【００２７】
図１２〜図１３は、２枚の片面表示式表示部パネルを用いて両面表示方式の情報表示用パネルとする構成例である。
図１２（ａ）、（ｂ）は、２枚の片面表示式表示部パネルを２枚の背中合わせに重ねて構成し、表示面となる基板３２および電極３６は透明で、背面側の基板３１および電極３５は非透明である。図１２（ａ）の２枚の表示部パネルは、図１（ａ）に示す表示部パネルの構成と同様で白黒表示であり、図１２（ｂ）は、図１２（ａ）の表示面側の基板３６にカラーフィルターを設けたカラー表示ができる構成である。
図１３（ａ）、（ｂ）は、図１２（ａ）、（ｂ）の背面側の基板３１を中央基板として、左右２枚の表示部パネルで共有し、両面表示方式の情報表示用パネルとしている。表示面となる２枚の基板３２および電極３６は透明で、中央基板３１および電極３５は非透明である。図１３（ａ）では両面で白黒表示、図１３（ｂ）では両面でカラー表示を行うことができる。
【００２８】
また、情報格納部（例えば、メモリ）、電池、駆動装置等は、情報表示用パネル２の背面側基板や情報表示用パネル２の表示部外側の縁部の他、情報表示装置本体１１に設けることができる。
【産業上の利用可能性】
【００２９】
本発明の情報表示装置は、電子書籍、電子楽譜、電子新聞、電子マニュアル（取扱説明書）、電子説明書（展示物等の説明書き）、電子カタログとして好適に利用することができる。
【図面の簡単な説明】
【００３０】
【図１】（ａ）、（ｂ）はそれぞれ本発明に用いる表示部パネルの一具体例を説明するための図である。
【図２】（ａ）、（ｂ）はそれぞれ本発明に用いる表示部パネルの他の具体例を説明するための図である。
【図３】（ａ）、（ｂ）はそれぞれ本発明に用いる表示部パネルのさらに他の具体例を説明するための図である。
【図４】（ａ）、（ｂ）はそれぞれ本発明に用いる表示部パネルのさらに他の具体例を説明するための図である。
【図５】（ａ）、（ｂ）はそれぞれ本発明に用いる表示部パネルのさらに他の具体例を説明するための図である。
【図６】（ａ）〜（ｄ）はそれぞれ本発明の情報表示装置の構成例である。
【図７】（ａ）〜（ｄ）はそれぞれ本発明の情報表示装置の構成を説明するための図である。
【図８】（ａ）〜（ｄ）はそれぞれ本発明の情報表示装置の動作を説明するための図である。
【図９】（ａ）〜（ｄ）はそれぞれ本発明の情報表示装置の動作をさらに説明するための図である。
【図１０】（ａ）〜（ｄ）はそれぞれ本発明の情報表示装置の動作をさらに説明するための図である。
【図１１】（ａ）〜（ｄ）はそれぞれ本発明に用いるヒンジ接点スイッチの機構を説明するための図である。
【図１２】（ａ）、（ｂ）はそれぞれ、２枚の片面表示式表示部パネルを用いて両面表示方式の情報表示用パネルとする構成例である。
【図１３】（ａ）、（ｂ）はそれぞれ、２枚の片面表示式表示部パネルを用いて両面表示方式の情報表示用パネルとする構成例である。
【符号の説明】
【００３１】
２          表示部パネル
２ａ        第１表示面
２ｂ        第２表示面
２ｃ        第３表示面
２Ｒ        両面表示式情報表示用パネル
２Ｋ        片面表示式表示部パネル
５          情報表示装置
８          絶縁液体
９          マイクロカプセル
１０        位置座標検出装置
１０Ｄ      電磁授受方式位置座標検出装置
１０Ｔ      タッチパネル方式位置座標検出装置
１１        情報表示装置本体
１５        ページ戻り機能選択スイッチ
１６        めくり用綴じ代部
１６ａ      送りスクロールボタン
１６ｂ      戻りスクロールボタン
２０Ｐ      ペンポインター
３１、３２  透明基板
３３        表示媒体
３３Ｗ      白色表示媒体
３３Ｂ      黒色表示媒体
３３Ｒ      赤色表示媒体
３３Ｇ      緑色表示媒体
３３ＢＬ    青色表示媒体
３３Ｍ      マゼンタ色表示媒体
３３Ｃ      シアン色表示媒体
３３Ｙ      イエロー色表示媒体
３４        隔壁
３５、３６  透明電極
３７        セル
４１Ｒ      赤色カラーフィルター
４１Ｇ      緑色カラーフィルター
４１ＢＬ    青色カラーフィルター
４５        電池
４６        駆動装置
４８        情報格納部
【図１】
0004850135.tif 000002
【図２】
0004850135.tif 000003
【図３】
0004850135.tif 000004
【図４】
0004850135.tif 000005
【図５】
0004850135.tif 000006
【図６】
0004850135.tif 000007
【図７】
0004850135.tif 000008
【図８】
0004850135.tif 000009
【図９】
0004850135.tif 000010
【図１０】
0004850135.tif 000011
【図１１】
0004850135.tif 000012
【図１２】
0004850135.tif 000013
【図１３】
0004850135.tif 000014